(57)【要約】      （修正有）【課題】水蒸気発生室と隔壁を介して水蒸気加熱室とを隣接させ、一つの熱源で過熱水蒸気を発生出来、しかもこの熱源として通常の家庭で最も広く使用されているガスコンロが利用できて、非常に安価で手軽に誰でも使用できる簡易過熱水蒸気発生装置を提供する。【解決手段】熱源となる加熱装置の上に、水蒸気発生室１４と隔壁１６を介して水蒸気加熱室１８とを隣接して載置し、この水蒸気加熱室内には、少なくとも水蒸気が流通できる程度の間隙２０を有して複数の加熱用金属部材が配置され、前記隔壁には水蒸気流通口２４が透設され、この水蒸気流通口から前記水蒸気加熱室内に流入した水蒸気はこれら複数の加熱用金属部材によって加熱されて過熱水蒸気２３を発生させることを特徴とする簡易過熱水蒸気発生装置１。【選択図】図１
0003135635.tif 000002
【実用新案登録請求の範囲】
熱源となる加熱装置の上に、水蒸気発生室と隔壁を介して水蒸気加熱室とを隣接して載置し、この水蒸気加熱室内には、少なくとも水蒸気が流通できる程度の間隙を有して複数の加熱用金属部材が配置され、前記隔壁には水蒸気流通口が透設され、この水蒸気流通口から前記水蒸気加熱室内に流入した水蒸気はこれら複数の加熱用金属部材によって加熱されて過熱水蒸気を発生させることを特徴とする簡易過熱水蒸気発生装置。
【考案の詳細な説明】
【技術分野】
【０００１】  本考案は簡易過熱水蒸気発生装置に関するものである。
【背景技術】
【０００２】  過熱水蒸気の実用化又は有効利用に関しては、２００６年１１月２６日のインターネットの検索ホームページ「ｇｏｏ」で検索したところ、脱臭処理（悪臭ガスの分解）、食品残渣処理（食品残渣及び廃棄物乾燥炭化）、調理器、有機性廃棄物処理、廃木材・竹の炭化・燃料への転用、ダイオキシン類の分解、土壌中のダイオキシンの抽出、青果物からの農薬除去、米糠等の資源化有効化のための殺菌、青果物の安全・安心のための殺菌、等の幅広い利用範囲があることが記載されており、又過熱水蒸気の発生装置に関しては同ホームページには、本願提出図面の図１０に示される間接加熱法と図１１、図１２に示される直接（電気）加熱法式とがある。
【考案の開示】
【考案が解決しようとする課題】
【０００３】  図１０に示される間接加熱法と図１１、図１２に示される直接（電気）加熱法式は、いずれも飽和水蒸気を作る部分とその水蒸気を過熱して過熱水蒸気を作る部分とが独立しているので２箇所に加熱源を必要とし、さらに、過熱水蒸気を作る一般市販品は電機で作動するものであり、制御等が複雑となり、価格も高価なものとなっているか、又は大型の商業用のものしかない。
【課題を解決するための手段】
【０００４】  熱源となる加熱装置の上に、水蒸気発生室と隔壁を介して水蒸気加熱室とを隣接して載置し、この水蒸気加熱室内には、少なくとも水蒸気が流通できる程度の間隙を有して複数の加熱用金属部材が配置され、前記隔壁には水蒸気流通口が透設され、この水蒸気流通口から前記水蒸気加熱室内に流入した水蒸気はこれら複数の加熱用金属部材によって加熱されて過熱水蒸気を発生させることを特徴とする簡易過熱水蒸気発生装置。
【考案の効果】
【０００５】  水蒸気発生室と隔壁を介して水蒸気加熱室とを隣接しているので、一つの熱源で過熱水蒸気を発生出来、しかもこの熱源として通常の家庭で最も広く使用されているガスコンロが利用できるので、非常に安価で手軽に誰でも使用できる。【０００６】  さらに、水蒸気はこれら複数の加熱用金属部材によって加熱される為、水蒸気と熱の接触面積を相当に広くできるので、短時間で効率よく過熱水蒸気を発生させることができ、又、この加熱用金属部材として広く市販されている金属たわしを使用してもよい。
【実施例】
【０００７】  以下図面により本案の実施例を示す。図１０は従来の間接加熱法と言われる過熱水蒸気の発生装置で、水が加熱されて水蒸気を発生し、この水蒸気はパイプの中を通って、このパイプがバーナで加熱されて過熱水蒸気を発生するが、熱効率が悪く大きな設備を必要とした。【０００８】  図１１、図１２は従来の直接加熱法と言われる過熱水蒸気の発生装置で、図１１はヒータによる加熱で、図１２は誘導による加熱でいずれも電機で作動するものであり、制御等が複雑となり、価格も高価なものとなる。【０００９】  図１は本願の一つの実施例である簡易過熱水蒸気の発生装置の一部を破断した全体斜視図を示し、本実施例の簡易過熱水蒸気１０は、熱源となる加熱装置１２（この加熱装置はガスコンロ、電磁調理器、電熱機、等いずれを使用してもよい）の上に、水蒸気発生室１４と隔壁１６を介して水蒸気加熱室１８とを隣接し、この水蒸気加熱室１８内には、少なくとも水蒸気が流通できる程度の間隙２０，２０，を有して複数の加熱用金属部材として金属たわし２２，２２，が配置されている。【００１０】  前記隔壁１６には図１及び図１のＡ−Ａ矢視断面図である図２に示されるように、水蒸気流通口２４が透設され、この水蒸気流通口２４から前記水蒸気加熱室１８内に流入した水蒸気１９はこれら複数の金属たわし２２，２２，によって加熱されて過熱水蒸気２３となり、排出パイプ２６に透設された排出口２８，２８，から排出される。【００１１】  上記の構成であるから、注水パイプ３０の注水口３２から注入された水は水蒸気発生室１４の下部に一先ず溜まり、加熱装置１２で加熱されて水蒸気１９が発生して飽和状態になり、次第に水蒸気発生室１４内の気圧が上昇してくると、図２に示されるように、水蒸気流通口２４をバネ３４で固定していた蓋３６を内側から押圧し、気圧が所定の値以上になると、バネ３４の復元力を超えるので蓋３６を開放して水蒸気１９は水蒸気加熱室１８内に流入し、複数の金属たわし２２，２２，によって加熱されて過熱水蒸気２３となるのである。【００１２】  なお、本考案では一つの熱源で過熱水蒸気を発生出来るが、より正確な熱管理が必要ならば、水蒸気発生室１４と水蒸気加熱室１８との熱源を別々にして、さらに排出パイプ２６にも熱源２７を設ければよい。【００１３】  図３は本願の他の実施例を示し、この実施例では少なくとも水蒸気が流通できる程度の間隙３８，３８，を有して複数の加熱用金属部材として、複数の金属板４０，４０，が配置され、これら金属板４０，４０の間隙３８に流入した水蒸気１９を過熱して過熱水蒸気２３を発生させるのである。【００１４】  図４は本願のさらに他の実施例を示し、この実施例では複数の加熱用金属部材として、少なくとも水蒸気１９が流通できる程度の複数の流通路４２，４２，を有する金属管４４，４４，を配置し、これらに複数の流通路４２，４２，に流入した水蒸気１９を過熱して過熱水蒸気２３を発生させるのである。【００１５】  図６は図５のＢ−Ｂ矢視断面図で、本願のさらに他の実施例を示し、この実施例では水蒸気加熱室１８内に流入した水蒸気１９がより効率よく加熱される為、底部の高熱部を通るよう導壁４６が設けられ、さらに排出パイプ２６の吸入口５０も、前記水蒸気１９がより効率よく加熱されるよう、底部の高熱部を通るよう蒸気加熱室１８内の下部に設けられている。【００１６】  図７は図６の矢視Ｃ部の拡大図で、水蒸気流通口２４の蓋３６の他の実施例を示し、この実施例では蓋４８の上部のみを隔壁１６に溶接で固定し、これによって水蒸気発生室１４内の気圧が上昇すると蓋４８を内側から押圧して、水蒸気流通口２４の下部と蓋４８の下部との間に隙間が生じ、この隙間から水蒸気１９が水蒸気加熱室１８内に流入するよう構成されているので、簡素でコストを下げることができる。
【図面の簡単な説明】
【図１】  本考案のＩ実施例を示す。
【図２】  図１のＡ−Ａ矢視断面図を示す。
【図３】  本考案の他の実施例を示す。
【図４】  本考案のさらに他の実施例を示す。
【図５】  本考案のさらに他の実施例を示す。
【図６】  図５のＢ−Ｂ矢視断面図を示す。
【図７】  図６の矢視Ｃ部の拡大図を示す。
【図１０】  従来の間接加熱法と言われる過熱水蒸気の発生装置を示す。
【図１１】  従来の直接加熱法と言われる過熱水蒸気の発生装置を示す。
【図１２】  従来の直接加熱法と言われる過熱水蒸気の発生装置を示す。
【符号の説明】
１０  簡易過熱水蒸気発生装置
１２  加熱装置
１４  水蒸気発生室
１６  隔壁
１８  水蒸気加熱室
１９  水蒸気
２０  間隙
２２  金属たわし
２３  過熱水蒸気
２４  水蒸気流通口
２６  排出パイプ
２７  熱源
２８  排出口
３０  注水パイプ
３２  注水口
３４  バネ
３６  蓋
３８  間隙
４０  金属板
４２  流通路
４４  金属管
４６  導壁
４８  蓋
５０  吸入口
【図１】
0003135635.tif 000003
【図２】
0003135635.tif 000004
【図３】
0003135635.tif 000005
【図４】
0003135635.tif 000006
【図５】
0003135635.tif 000007
【図６】
0003135635.tif 000008
【図７】
0003135635.tif 000009
【図１０】
0003135635.tif 000010
【図１１】
0003135635.tif 000011
【図１２】
0003135635.tif 000012
【手続補正書】
【提出日】平成19年4月26日(2007.4.26)
【手続補正１】
【補正対象書類名】実用新案登録請求の範囲
【補正対象項目名】全文
【補正方法】変更
【補正の内容】
【実用新案登録請求の範囲】
【請求項１】
熱源となる加熱装置の上に、水蒸気発生室と隔壁を介して水蒸気加熱室とを隣接して載置し、この水蒸気加熱室内には、少なくとも水蒸気が流通できる程度の間隙を有して複数の加熱用金属部材が配置され、前記隔壁には水蒸気流通口が透設され、この水蒸気流通口から前記水蒸気加熱室内に流入した水蒸気はこれら複数の加熱用金属部材によって加熱されて過熱水蒸気を発生させることを特徴とする簡易過熱水蒸気発生装置。
【手続補正２】
【補正対象書類名】明細書
【補正対象項目名】全文
【補正方法】変更
【補正の内容】
【考案の詳細な説明】
【技術分野】
【０００１】  本考案は簡易過熱水蒸気発生装置に関するものである。
【背景技術】
【０００２】  過熱水蒸気の実用化又は有効利用に関しては、２００６年１１月２６日のインターネットの検索ホームページ「ｇｏｏ（登録商標）」で検索したところ、脱臭処理（悪臭ガスの分解）、食品残渣処理（食品残渣及び廃棄物乾燥炭化）、調理器、有機性廃棄物処理、廃木材・竹の炭化・燃料への転用、ダイオキシン類の分解、土壌中のダイオキシンの抽出、青果物からの農薬除去、米糠等の資源化有効化のための殺菌、青果物の安全・安心のための殺菌、等の幅広い利用範囲があることが記載されており、又過熱水蒸気の発生装置に関しては同ホームページには、本願提出図面の図８に示される間接加熱法と図９、図１０に示される直接（電気）加熱法式とがある。
【考案の開示】
【考案が解決しようとする課題】
【０００３】  図８に示される間接加熱法と図９、図１０に示される直接（電気）加熱法式は、いずれも飽和水蒸気を作る部分とその水蒸気を過熱して過熱水蒸気を作る部分とが独立しているので２箇所に加熱源を必要とし、さらに、過熱水蒸気を作る一般市販品は電機で作動するものであり、制御等が複雑となり、価格も高価なものとなっているか、又は大型の商業用のものしかない。
【課題を解決するための手段】
【０００４】  熱源となる加熱装置の上に、水蒸気発生室と隔壁を介して水蒸気加熱室とを隣接して載置し、この水蒸気加熱室内には、少なくとも水蒸気が流通できる程度の間隙を有して複数の加熱用金属部材が配置され、前記隔壁には水蒸気流通口が透設され、この水蒸気流通口から前記水蒸気加熱室内に流入した水蒸気はこれら複数の加熱用金属部材によって加熱されて過熱水蒸気を発生させることを特徴とする簡易過熱水蒸気発生装置。
【考案の効果】
【０００５】  水蒸気発生室と隔壁を介して水蒸気加熱室とを隣接しているので、一つの熱源で過熱水蒸気を発生出来、しかもこの熱源として通常の家庭で最も広く使用されているガスコンロが利用できるので、非常に安価で手軽に誰でも使用できる。【０００６】  さらに、水蒸気はこれら複数の加熱用金属部材によって加熱される為、水蒸気と熱の接触面積を相当に広くできるので、短時間で効率よく過熱水蒸気を発生させることができ、又、この加熱用金属部材として広く市販されている金属たわしを使用してもよい。
【実施例】
【０００７】  以下図面により本案の実施例を示す。図８は従来の間接加熱法と言われる過熱水蒸気の発生装置で、水が加熱されて水蒸気を発生し、この水蒸気はパイプの中を通って、このパイプがバーナで加熱されて過熱水蒸気を発生するが、熱効率が悪く大きな設備を必要とした。【０００８】  図９、図１０は従来の直接加熱法と言われる過熱水蒸気の発生装置で、図９はヒータによる加熱で、図１０は誘導による加熱でいずれも電機で作動するものであり、制御等が複雑となり、価格も高価なものとなる。【０００９】  図１は本願の一つの実施例である簡易過熱水蒸気の発生装置の一部を破断した全体斜視図を示し、本実施例の簡易過熱水蒸気１０は、熱源となる加熱装置１２（この加熱装置はガスコンロ、電磁調理器、電熱機、等いずれを使用してもよい）の上に、水蒸気発生室１４と隔壁１６を介して水蒸気加熱室１８とを隣接し、この水蒸気加熱室１８内には、少なくとも水蒸気が流通できる程度の間隙２０，２０，を有して複数の加熱用金属部材として金属たわし２２，２２，が配置されている。【００１０】  前記隔壁１６には図１及び図１のＡ−Ａ矢視断面図である図２に示されるように、水蒸気流通口２４が透設され、この水蒸気流通口２４から前記水蒸気加熱室１８内に流入した水蒸気１９はこれら複数の金属たわし２２，２２，によって加熱されて過熱水蒸気２３となり、排出パイプ２６に透設された排出口２８，２８，から排出される。【００１１】  上記の構成であるから、注水パイプ３０の注水口３２から注入された水は水蒸気発生室１４の下部に一先ず溜まり、加熱装置１２で加熱されて水蒸気１９が発生して飽和状態になり、次第に水蒸気発生室１４内の気圧が上昇してくると、図２に示されるように、水蒸気流通口２４をバネ３４で固定していた蓋３６を内側から押圧し、気圧が所定の値以上になると、バネ３４の復元力を超えるので蓋３６を開放して水蒸気１９は水蒸気加熱室１８内に流入し、複数の金属たわし２２，２２，によって加熱されて過熱水蒸気２３となるのである。【００１２】  なお、本考案では一つの熱源で過熱水蒸気を発生出来るが、より正確な熱管理が必要ならば、水蒸気発生室１４と水蒸気加熱室１８との熱源を別々にして、さらに排出パイプ２６にも熱源２７を設ければよい。【００１３】  図３は本願の他の実施例を示し、この実施例では少なくとも水蒸気が流通できる程度の間隙３８，３８，を有して複数の加熱用金属部材として、複数の金属板４０，４０，が配置され、これら金属板４０，４０の間隙３８に流入した水蒸気１９を過熱して過熱水蒸気２３を発生させるのである。【００１４】  図４は本願のさらに他の実施例を示し、この実施例では複数の加熱用金属部材として、少なくとも水蒸気１９が流通できる程度の複数の流通路４２，４２，を有する金属管４４，４４，を配置し、これらに複数の流通路４２，４２，に流入した水蒸気１９を過熱して過熱水蒸気２３を発生させるのである。【００１５】  図６は図５のＢ−Ｂ矢視断面図で、本願のさらに他の実施例を示し、この実施例では水蒸気加熱室１８内に流入した水蒸気１９がより効率よく加熱される為、底部の高熱部を通るよう導壁４６が設けられ、さらに排出パイプ２６の吸入口５０も、前記水蒸気１９がより効率よく加熱されるよう、底部の高熱部を通るよう蒸気加熱室１８内の下部に設けられている。【００１６】  図７は図６の矢視Ｃ部の拡大図で、水蒸気流通口２４の蓋３６の他の実施例を示し、この実施例では蓋４８の上部のみを隔壁１６に溶接で固定し、これによって水蒸気発生室１４内の気圧が上昇すると蓋４８を内側から押圧して、水蒸気流通口２４の下部と蓋４８の下部との間に隙間が生じ、この隙間から水蒸気１９が水蒸気加熱室１８内に流入するよう構成されているので、簡素でコストを下げることができる。
【図面の簡単な説明】
【図１】  本考案の１実施例を示す。
【図２】  図１のＡ−Ａ矢視断面図を示す。
【図３】  本考案の他の実施例を示す。
【図４】  本考案のさらに他の実施例を示す。
【図５】  本考案のさらに他の実施例を示す。
【図６】  図５のＢ−Ｂ矢視断面図を示す。
【図７】  図６の矢視Ｃ部の拡大図を示す。
【図８】  従来の間接加熱法と言われる過熱水蒸気の発生装置を示す。
【図９】  従来の直接加熱法と言われる過熱水蒸気の発生装置を示す。
【図１０】  従来の直接加熱法と言われる過熱水蒸気の発生装置を示す。
【符号の説明】
１０  簡易過熱水蒸気発生装置
１２  加熱装置
１４  水蒸気発生室
１６  隔壁
１８  水蒸気加熱室
１９  水蒸気
２０  間隙
２２  金属たわし
２３  過熱水蒸気
２４  水蒸気流通口
２６  排出パイプ
２７  熱源
２８  排出口
３０  注水パイプ
３２  注水口
３４  バネ
３６  蓋
３８  間隙
４０  金属板
４２  流通路
４４  金属管
４６  導壁
４８  蓋
５０  吸入口
【手続補正３】
【補正対象書類名】図面
【補正対象項目名】全図
【補正方法】変更
【補正の内容】
【図１】
0003135635.tif 000013
【図２】
0003135635.tif 000014
【図３】
0003135635.tif 000015
【図４】
0003135635.tif 000016
【図５】
0003135635.tif 000017
【図６】
0003135635.tif 000018
【図７】
0003135635.tif 000019
【図８】
0003135635.tif 000020
【図９】
0003135635.tif 000021
【図１０】
0003135635.tif 000022